(57)【要約】【課題】居住者の生活行動の管理を低コストで行う。【解決手段】健康補助システム１００は、住居１２０における電気、水道、ガスのうち、１つ以上の使用量を検出する検出装置（スマートメータ１１０、１１０Ａ、１１０Ｂ、１１０Ｃ）と、使用量に基づいて、居住者１０の生活行動を推定する行動推定部と、推定された生活行動が、助言情報で促された生活行動か否かを判定する判定部と、を備える。生活行動を推定するために専用のセンサを設ける必要がない。【選択図】図１
2019191849.tif 000002
【特許請求の範囲】
【請求項１】
住居における電気、水道、ガスのうち、１つ以上の使用量を検出する検出装置と、
前記使用量に基づいて、前記住居の居住者の生活行動を推定する行動推定部と、
推定された前記生活行動が、予め設定された前記生活行動か否かを判定する判定部と、
を備える健康補助システム。
【請求項２】
推定された前記生活行動が、予め設定された前記生活行動であると判定されると、前記居住者に特典を付与する付与部
を備える請求項１に記載の健康補助システム。
【請求項３】
前記行動推定部は、前記生活行動として、起床、就寝、食事、入浴のうち、少なくとも一つを推定する請求項１または２に記載の健康補助システム。
【請求項４】
居住者のヘルスケアのために、前記居住者の生活行動を促す助言情報を生成する情報生成部と、
前記助言情報を前記居住者に報知する報知部と、
を備える請求項１から３のいずれか１項に記載の健康補助システム。
【請求項５】
予め設定された時刻になると、前記助言情報を前記報知部に報知させる報知制御部
を備える請求項４に記載の健康補助システム。
【発明の詳細な説明】
【技術分野】
【０００１】
本発明は、居住者の健康を補助する健康補助システムに関する。
【背景技術】
【０００２】
従来、ユーザのヘルスケアを管理する種々のシステムが開発されている。例えば、寝具に振動センサを設け、振動センサの出力によってユーザの睡眠に関する分析を行う技術が開示されている（例えば、特許文献１）。
【先行技術文献】
【特許文献】
【０００３】
【特許文献１】特許第３４５３８７７号公報
【発明の概要】
【発明が解決しようとする課題】
【０００４】
ところで、就寝、起床、食事などの生活行動を適切なタイミングで行うことは、ヘルスケアにとって重要である。例えば、適切なタイミングで生活行動が行われたか否かを管理するシステムが考えられる。この場合、適切なタイミングで生活行動がなされたか否かをユーザ自身に操作入力させると、誤入力や虚偽入力の可能性が生じるため、入力内容の信ぴょう性に欠ける。
【０００５】
そこで、例えば、就寝、起床に関しては、特許文献１に記載のような専用のセンサを設けて、適切なタイミングで行われているかを判定することが考えられる。しかし、生活行動ごとに専用のセンサを設けるとコストが高くなってしまう。
【０００６】
本発明は、このような課題に鑑み、居住者の生活行動の管理を低コストで行うことが可能な健康補助システムを提供することを目的としている。
【課題を解決するための手段】
【０００７】
上記課題を解決するために、本発明の健康補助システムは、住居における電気、水道、ガスのうち、１つ以上の使用量を検出する検出装置と、使用量に基づいて、住居の居住者の生活行動を推定する行動推定部と、推定された生活行動が、予め設定された生活行動か否かを判定する判定部と、を備える。
【０００８】
推定された生活行動が、予め設定された生活行動であると判定されると、居住者に特典を付与する付与部を備えてもよい。
【０００９】
行動推定部は、生活行動として、起床、就寝、食事、入浴のうち、少なくとも一つを推定してもよい。
【００１０】
居住者のヘルスケアのために、居住者の生活行動を促す助言情報を生成する情報生成部と、助言情報を居住者に報知する報知部と、を備えてもよい。
【００１１】
予め設定された時刻になると、助言情報を報知部に報知させる報知制御部を備えてもよい。
【発明の効果】
【００１２】
本発明によれば、居住者の生活行動の管理を低コストで行うことが可能となる。
【図面の簡単な説明】
【００１３】
【図１】健康補助システムの概略的な構成を示した説明図である。
【図２】スマートメータの概略的な構成を示した機能ブロック図である。
【図３】サーバの概略的な構成を示した機能ブロック図である。
【図４】携帯端末の概略的な構成を示すブロック図である。
【図５】サーバの処理の流れを示すフローチャートである。
【図６】携帯端末の処理の流れを示すフローチャートである。
【発明を実施するための形態】
【００１４】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１５】
（健康補助システム１００）
図１は、健康補助システム１００の概略的な構成を示した説明図である。図１に示すように、健康補助システム１００は、複数のスマートメータ（検出装置）１１０と、複数のゲートウェイ機器１１２と、サーバ１１４と、基地局１１６と、携帯端末１１８とを含んで構成される。
【００１６】
スマートメータ１１０は、住居１２０に設けられ、住居１２０に供給された電気、水道、ガスの使用量を導出する。図１では、１つの住居１２０に設けられたスマートメータ１１０のみを示すが、スマートメータ１１０は、複数の住居１２０それぞれに設けられる。
【００１７】
例えば、住居１２０ごとに３つのスマートメータ１１０Ａ、１１０Ｂ、１１０Ｃが設けられる。スマートメータ１１０Ａは、電気の使用量を検出する。スマートメータ１１０Ｂは、ガスの使用量を検出する。スマートメータ１１０Ｃは、水道の使用量を検出する。以下、３つのスマートメータ１１０Ａ、１１０Ｂ、１１０Ｃを区別する必要がない場合、スマートメータ１１０と称する。
【００１８】
ここでは、電気、ガス、水道の使用量を検出するメータがそれぞれ設けられる場合について説明した。ただし、１つのスマートメータ１１０が、電気、ガス、水道のうち、２つ以上の使用量を検出してもよい。
【００１９】
ゲートウェイ機器１１２は、１または複数のスマートメータ１１０のデータを収集する。サーバ１１４は、コンピュータ等で構成され、健康補助システム１００の管理者側に属する。また、サーバ１１４は、ゲートウェイ機器１１２を介して、１または複数のスマートメータ１１０のデータを収集する。したがって、住居１２０に配置されるスマートメータ１１０が有する情報を、サーバ１１４で一括管理することができる。
【００２０】
ここで、ゲートウェイ機器１１２とサーバ１１４との間は、例えば、基地局１１６を含む携帯電話網やＰＨＳ（Personal Handyphone System）網等の既存の通信網を通じた無線通信が実行される。また、スマートメータ１１０同士およびスマートメータ１１０とゲートウェイ機器１１２との間は、例えば、９２０ＭＨｚ帯を利用するスマートメータ用無線システム（Ｕ−Ｂｕｓ  Ａｉｒ）を通じた無線通信が実行される。また、通信規格ＩＥＥＥ８０２．１５．４／４ｅに準拠するＲＩＴ（Receiver Initiated Transmission）方式を通じた無線通信が行われてもよい。
【００２１】
携帯端末１１８は、例えば、携帯電話、スマートフォン、ＰＨＳ端末などで構成され、住居１２０の居住者１０によって携帯される。携帯端末１１８は、居住者１０の操作入力に応じ、基地局１１６と無線通信を行う。
【００２２】
（スマートメータ１１０）
図２は、スマートメータ１１０の概略的な構成を示した機能ブロック図である。スマートメータ１１０は、センサ１５０と、メータ通信部１５２と、メータ記憶部１５４と、メータ制御部１５６とを含んで構成される。
【００２３】
センサ１５０は、測定対象の使用量を導出するための測定値を出力する。例えば、スマートメータ１１０Ａのセンサ１５０は、電気の使用量を導出するための測定値を出力する。スマートメータ１１０Ｂのセンサ１５０は、ガスの使用量を導出するための測定値を出力する。スマートメータ１１０Ｃのセンサ１５０は、水道の使用量を導出するための測定値を出力する。
【００２４】
メータ通信部１５２は、ゲートウェイ機器１１２や他のスマートメータ１１０を介して、サーバ１１４との通信を行う。メータ記憶部１５４は、ＲＯＭ、ＲＡＭ、フラッシュメモリ、ＨＤＤ等で構成され、スマートメータ１１０に用いられるプログラムや各種データを記憶する。
【００２５】
メータ制御部１５６は、ＣＰＵ（Central Processing Unit）やＤＳＰ（Digital Signal Processor）で構成され、メータ記憶部１５４に格納されたプログラムを用い、スマートメータ１１０全体を制御する。また、メータ制御部１５６は、導出部１７０、通信制御部１７２として機能する。
【００２６】
導出部１７０は、センサ１５０から出力された測定値に基づいて、測定対象の使用量を導出する。導出部１７０は、導出した測定対象の使用量をメータ記憶部１５４に記憶させる。例えば、スマートメータ１１０Ａの導出部１７０は、電気の使用量を導出する。スマートメータ１１０Ｂの導出部１７０は、ガスの使用量を導出する。スマートメータ１１０Ｃの導出部１７０は、水道の使用量を導出する。
【００２７】
導出部１７０は、例えば、予め設定された所定時間（１分、３０分、１時間など）ごとに使用された測定対象の使用量を導出する。また、スマートメータ１１０Ａ、１１０Ｂ、１１０Ｃごとに、所定時間が異なっていてもよい。例えば、スマートメータ１１０Ａでは、消費電力の１分値が導出される。
【００２８】
ここで、１分値は、例えば、１分ごとに測定されるワット（Ｗ）の瞬時値に１時間を乗算したワットアワー（ｗｈ）でもよい。１分値は、ワットの瞬時値を１分間分、時間積分した値であってもよい。１分値は、これらの値を１分当たりの消費電力に換算した値でもよい。
【００２９】
通信制御部１７２は、メータ通信部１５２を制御し、導出部１７０が導出した測定対象の使用量をサーバ１１４へ送信させる。通信制御部１７２は、例えば、測定対象の使用量が新たにメータ記憶部１５４に記憶される度に、測定対象の使用量をサーバ１１４に送信させてもよい。また、通信制御部１７２は、所定周期ごとに、メータ記憶部１５４から測定対象の使用量を読み出して、サーバ１１４に送信させてもよい。
【００３０】
（サーバ１１４）
図３は、サーバ１１４の概略的な構成を示した機能ブロック図である。図３に示すように、サーバ１１４は、サーバ通信部１８０と、サーバ記憶部１８２と、サーバ制御部１８４とを含んで構成される。サーバ通信部１８０は、基地局１１６、ゲートウェイ機器１１２を介してスマートメータ１１０との通信を行う。また、サーバ通信部１８０は、基地局１１６を介して、携帯端末１１８との通信を行う。
【００３１】
サーバ記憶部１８２は、ＲＯＭ、ＲＡＭ、フラッシュメモリ、ＨＤＤ等で構成され、予め、居住者１０の保持する携帯端末１１８について、上記通信網上の位置を特定するアドレス情報が記憶されている。サーバ記憶部１８２において、アドレス情報は、居住者１０の居住する住居１２０を特定する識別情報と関連付けられている。
【００３２】
サーバ制御部１８４は、ＣＰＵやＤＳＰで構成され、サーバ記憶部１８２に記憶された情報に基づいてサーバ１１４全体を制御する。また、サーバ制御部１８４は、通信制御部１９０、行動推定部１９２、出力部１９４として機能する。
【００３３】
通信制御部１９０は、サーバ通信部１８０を制御し、スマートメータ１１０Ａ、１１０Ｂ、１１０Ｃそれぞれから送信された測定対象の使用量を受信させる。受信された電気、ガス、水道の使用量には、住居１２０の識別情報が付与されており、通信制御部１９０は、サーバ記憶部１８２に記憶された同一の住居１２０の識別情報に関連付けて、電気、ガス、水道の使用量をサーバ記憶部１８２に記憶させる。
【００３４】
行動推定部１９２は、サーバ記憶部１８２に記憶された電気、ガス、水道の使用量に基づいて、居住者１０の所定の生活行動を推定する。例えば、行動推定部１９２は、早朝に電気の使用量が急増すると、居住者１０が起床したと推定する。行動推定部１９２は、深夜に電気の使用量が急減すると、居住者１０が就寝したと推定する。
【００３５】
また、行動推定部１９２は、ガス、水道の使用の継続時間が、予め設定された閾値よりも短いと、調理中であると推定する。すなわち、行動推定部１９２は、間もなく食事が行われると推定する。また、行動推定部１９２は、ガス、水道の使用の継続時間が、予め設定された閾値以上であると、浴槽への給湯中であると推定する。すなわち、行動推定部１９２は、間もなく入浴が行われると推定する。ここで、行動推定部１９２は、ガス、水道の使用継続時間を閾値と比較している。これにより、調理よりも長時間継続したガス、水道の使用が行われる入浴（浴槽への給湯）を、調理と誤判定する可能性が抑制される。
【００３６】
行動推定部１９２は、居住者１０の生活行動として、起床、就寝、食事、入浴のいずれかを推定すると、推定結果をサーバ記憶部１８２に記憶（保持）させる。推定結果は、対応する住居１２０の識別情報に関連付けて記憶される。
【００３７】
サーバ記憶部１８２に対し、新たに生活行動の推定結果が記憶されると、通信制御部１９０は、サーバ記憶部１８２から、新たに記憶された生活行動の推定結果を読み出す。また、通信制御部１９０は、推定結果に対応する住居１２０の識別情報に関連付けられたアドレス情報を、サーバ記憶部１８２から読み出す。通信制御部１９０は、サーバ通信部１８０を制御し、読み出したアドレス情報に向けて、生活行動の推定結果を出力させる。
【００３８】
（携帯端末１１８）
図４は、携帯端末１１８の概略的な構成を示すブロック図である。携帯端末１１８は、端末通信部２００と、端末記憶部２０２と、表示部２０４と、操作部２０６と、スピーカ（報知部）２０８と、マイク２１０と、端末制御部２１２とを含んで構成される。
【００３９】
端末通信部２００は、基地局１１６を介して、サーバ１１４と通信を行う。端末記憶部２０２は、ＲＯＭ、ＲＡＭ、フラッシュメモリ、ＨＤＤ等で構成され、携帯端末１１８に用いられるプログラムや各種データを記憶する。表示部２０４は、液晶ディスプレイや有機ＥＬ（Electro Luminescence）ディスプレイで構成される。
【００４０】
操作部２０６は、例えば、抵抗膜方式（感圧式）、静電容量方式、赤外遮光方式などのタッチパネルで構成され、表示部２０４の表面に対する居住者１０の操作入力を検知する。スピーカ２０８は、携帯端末１１８で実行されるアプリケーションに応じて音声出力を行う。マイク２１０は、携帯端末１１８の周辺の音（例えば、居住者１０の声）を収音（集音）する。
【００４１】
端末制御部２１２は、ＣＰＵやＤＳＰで構成され、端末記憶部２０２に格納されたプログラムを用い、携帯端末１１８全体を制御する。また、端末制御部２１２は、表示制御部２２０、操作受付部２２２、端末通信制御部２２４、端末記憶制御部２２６、情報生成部２２８、報知制御部２３０、判定部２３２、付与部２３４としても機能する。
【００４２】
表示制御部２２０は、操作部２０６となるユーザインタフェースを表示部２０４に表示させる。操作受付部２２２は、操作部２０６を介して、居住者１０からの操作入力を受け付ける。
【００４３】
また、端末通信制御部２２４は、端末通信部２００を制御し、サーバ１１４から送信された生活行動の推定結果を受信させる。端末記憶制御部２２６は、受信された推定結果を端末記憶部２０２に記憶させる。
【００４４】
情報生成部２２８は、居住者１０のヘルスケアのために、居住者１０の生活行動を促す助言情報を生成する。助言情報は、サーバ１１４の行動推定部１９２による推定対象である生活行動（起床、就寝、食事、入浴）に関連する場合がある。例えば、助言情報は、起床を促すメッセージ、就寝を促すメッセージ、食事を促すメッセージなどである。生活行動を促すメッセージが予め端末記憶部２０２に記憶されている場合、例えば、端末記憶部２０２に記憶されたメッセージを読み出す処理が、助言情報の生成に当たる場合がある。
【００４５】
報知制御部２３０は、予め設定された時刻（以下、報知時刻という）になると、助言情報をスピーカ２０８に報知させる。スピーカ２０８からは、例えば、「起きましょう」「眠りましょう」「食事しましょう」といった音声が出力される。報知時刻は、例えば、操作部２０６を介した操作入力によって設定される。居住者１０は、例えば、起床、就寝、食事（朝食、昼食、夕食）、入浴のタイミングに合わせて、予め、報知時刻を設定可能である。
【００４６】
また、端末記憶部２０２には、予め設定された推奨時刻が予め記憶されている。推奨時刻は、例えば、操作部２０６を介した操作入力によって設定される。居住者１０は、例えば、起床、就寝、食事（朝食、昼食、夕食）、入浴のタイミングに合わせて、予め、推奨時刻を設定可能である。推奨時刻は、生活行動の開始が推奨される時刻であり、報知時刻よりも早い時刻が入力される。
【００４７】
ここで、報知時刻、推奨時刻は、それぞれ、生活行動ごとに設けられる。例えば、起床に対応して、起床報知時刻、起床推奨時刻が設けられる。夕食に対応して、夕食報知時刻、夕食推奨時刻が設けられる。
【００４８】
居住者１０が、推奨時刻に合わせて起床、就寝、食事（朝食、昼食、夕食）、入浴といた生活行動を行うと、例えば、規則正しい健康的な生活が過ごせることになる。そこで、上記のように、サーバ１１４の行動推定部１９２は、電気、ガス、水道の使用量に基づいて、居住者１０の生活行動を推定する。
【００４９】
判定部２３２は、行動推定部１９２によって推定された生活行動が、予め設定された生活行動か否かを判定する。ここで、予め設定された生活行動とは、例えば、上記の推奨時刻になった生活行動である。すなわち、例えば、起床推奨時刻となったとき、予め設定された生活行動は起床である。判定部２３２は、居住者１０が予め設定された生活行動を行ったことを示す推定結果（以下、有意な推定結果という）が、端末記憶部２０２に記憶されているか否かを判定する。
【００５０】
また、推奨時刻を過ぎてから端末記憶部２０２に有意な推定結果が記憶されないまま、報知時刻となった場合、情報生成部２２８は、予め設定された生活行動を促す助言情報を生成する。報知制御部２３０は、予め設定された生活行動を促す助言情報をスピーカ２０８から出力させる。
【００５１】
その後、判定部２３２は、例えば、報知時刻を過ぎてから、予め設定された猶予期間が経過するまで、有意な推定結果が端末記憶部２０２に記憶されているかを繰り返し判定する。猶予期間は、例えば、操作部２０６を介した操作入力によって設定される。有意な推定結果が端末記憶部２０２に記憶されないまま猶予期間が過ぎると、判定部２３２は、居住者１０が予め設定された生活行動を行わなかったと判定する。
【００５２】
また、推奨時刻以降であって、報知時刻を過ぎてから猶予期間が経過するまでに、有意な推定結果が端末記憶部２０２に記憶されると、判定部２３２は、居住者１０が予め設定された生活行動を行ったと判定する。報知制御部２３０は、居住者１０を褒めるメッセージをスピーカ２０８から出力させる。
【００５３】
付与部２３４は、判定部２３２によって、有意な推定結果が端末記憶部２０２に記憶されたと判定されると、居住者１０に特典を付与する。ここで、特典は、例えば、電気、ガス、水道などの事業者が提供するポイントなどである。このポイントは、電子マネーのように使用できたり、景品と交換できたりする場合がある。また、特典は、電気、ガス、水道以外の事業者が提供するポイントであってもよい。居住者１０に特典が付与されたことは、端末通信制御部２２４が、端末通信部２００を介して、サーバ１１４など、特典を管理する装置に送信する。
【００５４】
図５は、サーバ１１４の処理の流れを示すフローチャートである。図５に示す処理は、所定周期で繰り返し実行される。
【００５５】
（Ｓ３００）
行動推定部１９２は、サーバ記憶部１８２に記憶された電気、ガス、水道の使用量に基づいて、居住者１０の生活行動を推定する。
【００５６】
（Ｓ３０２）
行動推定部１９２は、居住者１０の起床、就寝、食事、入浴のいずれかの生活行動を推定できたか否かを判定する。生活行動を推定できれば、Ｓ３０４に処理を移す。生活行動を推定できなければ、当該処理を終了する。
【００５７】
（Ｓ３０４）
行動推定部１９２は、推定された居住者１０の生活行動の推定結果をサーバ記憶部１８２に記憶（保持）させる。
【００５８】
（Ｓ３０６）
通信制御部１９０は、サーバ通信部１８０を制御し、サーバ記憶部１８２から、新たに記憶された生活行動の推定結果を、対応する携帯端末１１８のアドレス情報に向けて出力させ、当該処理を終了する。
【００５９】
図６は、携帯端末１１８の処理の流れを示すフローチャートである。図６に示す処理は、所定のインターバルを空けて繰り返し実行される。
【００６０】
（Ｓ４００）
判定部２３２は、推奨時刻になったか否かを判定する。推奨時刻となった場合、Ｓ４０２に処理を移す。推奨時刻になっていなければ、当該処理を終了する。ここで、推奨時刻となったと判定されるのは、前回のＳ４００遂行時に推奨時刻前であって、今回のＳ４００遂行時に推奨時刻以降の時刻となった場合である。
【００６１】
（Ｓ４０２）
判定部２３２は、有意な推定結果が端末記憶部２０２に記憶されているか否かを判定する。有意な推定結果が端末記憶部２０２に記憶されていれば、Ｓ４０４に処理を移す。有意な推定結果が端末記憶部２０２に記憶されていなければ、Ｓ４０８に処理を移す。
【００６２】
（Ｓ４０４）
付与部２３４は、居住者１０にポイントなどの特典を付与する。
【００６３】
（Ｓ４０６）
報知制御部２３０は、居住者１０を褒めるメッセージをスピーカ２０８から出力させる。
【００６４】
（Ｓ４０８）
報知制御部２３０は、報知時刻になったか否かを判定する。報知時刻となった場合、Ｓ４１０に処理を移す。報知時刻になっていなければ、Ｓ４１４に処理を移す。ここで、報知時刻となったと判定されるのは、例えば、前回のＳ４０８遂行時に報知時刻前であって、今回のＳ４０８遂行時に報知時刻以降の時刻となった場合である。
【００６５】
（Ｓ４１０）
情報生成部２２８は、報知時刻に対応する生活行動を促す助言情報を生成する。
【００６６】
（Ｓ４１２）
報知制御部２３０は、助言情報をスピーカ２０８に報知させる。
【００６７】
（Ｓ４１４）
判定部２３２は、例えば、報知時刻を過ぎてから、猶予期間が経過しているか否かを判定する。猶予期間が経過していない場合、Ｓ４０２に処理を移す。猶予期間が経過している場合、当該処理を終了する。
【００６８】
上記のように、生活行動の推定結果によって、居住者１０が、予め設定された生活行動を行ったか否かが推定可能となっている。そのため、居住者１０は、生活行動を行ったと偽ることが難しい。その結果、居住者１０が、規則正しい生活を行う可能性が向上する。また、生活行動を推定するために専用のセンサを設ける必要がなく、生活行動の管理を低コストで行うことが可能となる。
【００６９】
また、付与部２３４による特典の付与が行われるため、居住者１０は、特典を取得するために、一層、助言情報に従った生活行動を取るようになる。
【００７０】
また、推奨時刻になっても生活行動が行われずに報知時刻となると、助言情報が報知されることから、居住者１０は、予め設定された生活行動を行うべき時刻となったことを容易に把握できる。そのため、居住者１０の失念によって適切なタイミングを逸する事態が回避され、規則正しい生活を行う可能性が向上する。
【００７１】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７２】
例えば、上述した実施形態では、住居１２０における電気、水道、ガスの使用量がスマートメータ１１０によって検出される場合について説明した。しかし、スマートメータ１１０は、少なくとも電気、水道、ガスの１つ以上の使用量を検出すればよい。行動推定部１９２は、少なくとも電気、水道、ガスの１つ以上の使用量に基づいて、居住者１０の生活行動を推定すればよい。
【００７３】
また、上述した実施形態では、情報生成部２２８、スピーカ２０８が設けられる場合を例に挙げて説明したが、情報生成部２２８、スピーカ２０８は、必須の構成ではない。
【００７４】
また、上述した実施形態では、検出装置としてスマートメータ１１０を例に挙げて説明したが、住居１２０における電気、水道、ガスのうち、１つ以上の使用量を検出できれば、他の装置が用いられてもよい。
【００７５】
また、上述した実施形態では、行動推定部１９２が、生活行動として、起床、就寝、食事、入浴のうち、少なくとも一つを推定する場合について説明した。起床、就寝、食事、入浴は、電気、水道、ガスの使用量から推定され易く、かつ、居住者１０を規則正しい生活に導くことが可能な生活行動である。しかし、行動推定部１９２は、起床、就寝、食事、入浴以外の生活行動を推定してもよい。
【００７６】
また、上述した実施形態では、報知制御部２３０が、予め設定された時刻になると、助言情報をスピーカ２０８に出力させる場合について説明した。しかし、報知制御部２３０は必須の構成ではない。
【００７７】
また、上述した実施形態では、有意な推定結果が端末記憶部２０２に記憶されると、付与部２３４が、居住者１０に特典を付与する場合について説明した。しかし、付与部２３４は、必須の構成ではない。
【００７８】
また、上述した実施形態では、携帯端末１１８が用いられる場合について説明した。しかし、携帯端末１１８の代わりに、所謂スマート（ＡＩ）スピーカが用いられてもよい。
【００７９】
また、上述した実施形態では、報知部としてスピーカ２０８を例に挙げて説明したが、報知部として表示部２０４が用いられてもよい。すなわち、助言情報が、表示部２０４に表示されてもよい。
【００８０】
また、上述した実施形態では、行動推定部１９２がサーバ１１４に設けられる場合について説明した。しかし、行動推定部１９２は、携帯端末１１８に設けられてもよい。この場合、サーバ１１４は、電気、水道、ガスの使用量を携帯端末１１８に転送する。
【００８１】
また、上述した実施形態では、情報生成部２２８、報知制御部２３０、判定部２３２、付与部２３４が携帯端末１１８に設けられる場合について説明した。しかし、情報生成部２２８、報知制御部２３０、判定部２３２、付与部２３４のうちの１または複数は、サーバ１１４に設けられてもよい。
【００８２】
また、上述した実施形態では、健康補助システムが、スマートメータ１１０、サーバ１１４、携帯端末１１８によって構成される場合について説明した。しかし、健康補助システムは、スマートメータ１１０のみ、または、携帯端末１１８のみで構成されてもよい。すなわち、一つの装置によって健康補助システムが構成されてもよい。
【００８３】
また、住居１２０における電気、水道、ガスのうち、１つ以上の使用量を検出し、使用量に基づいて、居住者１０の生活行動を推定し、推定された生活行動が、予め設定された生活行動か否かを判定する健康補助方法も提供される。
【００８４】
また、コンピュータをスマートメータ１１０、行動推定部１９２、情報生成部２２８、報知制御部２３０、判定部２３２、付与部２３４などとして機能させるプログラムや、当該プログラムを記録した、コンピュータで読み取り可能なフレキシブルディスク、光磁気ディスク、ＲＯＭ、ＣＤ、ＤＶＤ、ＢＤ等の記憶媒体も提供される。ここで、プログラムは、任意の言語や記述方法にて記述されたデータ処理手段をいう。
【産業上の利用可能性】
【００８５】
本発明は、居住者の健康を補助する健康補助システムに利用することができる。
【符号の説明】
【００８６】
１０  居住者
１００  健康補助システム
１１０、１１０Ａ、１１０Ｂ、１１０Ｃ  スマートメータ（検出装置）
１９２  行動推定部
２０８  スピーカ（報知部）
２２８  情報生成部
２３０  報知制御部
２３２  判定部
２３４  付与部
【図１】
2019191849.tif 000003
【図２】
2019191849.tif 000004
【図３】
2019191849.tif 000005
【図４】
2019191849.tif 000006
【図５】
2019191849.tif 000007
【図６】
2019191849.tif 000008